(57)【要約】【課題】設定モードの切り替えが簡単かつ安全に行える携帯通信端末を提供すること。【解決手段】非接触通信により非接触ＩＣチップ２１に記憶された識別情報を読み取るＩＣチップ読取部１６と、非接触ＩＣチップ２１に記憶された識別情報に対応する識別情報と、当該識別情報に関連付けられたユーザデータとを含む複数のモード情報を記憶する記憶部１２と、ＩＣチップ読取部１６によって非接触ＩＣチップ２１から識別情報を読み取ったときに、読み取った識別情報に対応する識別情報を記憶部１２において検索し、該当する識別情報があれば当該識別情報に係るモード情報を読み出し、読み出したモード情報に基づいてモード変更を行う制御部１７と、を備える。【選択図】図１
2009118326.tif 000002
【特許請求の範囲】
【請求項１】
非接触通信により非接触ＩＣチップに記憶された識別情報を読み取るＩＣチップ読取部と、
前記非接触ＩＣチップに記憶された識別情報に対応する識別情報と、当該識別情報に関連付けられたユーザデータとを含む複数のモード情報を記憶する記憶部と、
前記ＩＣチップ読取部によって前記非接触ＩＣチップから前記識別情報を読み取ったときに、読み取った前記識別情報に対応する識別情報を前記記憶部において検索し、該当する識別情報があれば当該識別情報に係るモード情報を読み出し、読み出したモード情報に基づいてモード変更を行う制御部と、
を備えることを特徴とする携帯通信端末。
【請求項２】
ＧＰＳ測位衛星からの測位用信号を受信することにより自ら測位処理を行い、位置情報を取得する測位部を備え、
前記記憶部は、前記非接触ＩＣチップに記憶された識別情報に対応する識別情報と、当該識別情報に関連付けられた位置情報と、当該識別情報及び当該位置情報に関連付けられたユーザデータとを含む複数のモード情報を記憶し、
前記制御部は、前記測位部からの位置情報に対応する位置情報を前記記憶部において検索し、該当する位置情報があれば当該位置情報に係るモード情報を読み出し、読み出したモード情報に基づいてモード変更を行うことを特徴とする請求項１記載の携帯通信端末。
【請求項３】
ＧＰＳ測位衛星からの測位用信号を受信することにより、所定のサーバに測位演算を要求して、前記所定のサーバから位置情報を取得する測位部を備え、
前記記憶部は、前記非接触ＩＣチップに記憶された識別情報に対応する識別情報と、当該識別情報に関連付けられた位置情報と、当該識別情報及び当該位置情報に関連付けられたユーザデータとを含む複数のモード情報を記憶し、
前記制御部は、前記測位部からの位置情報に対応する位置情報を前記記憶部において検索し、該当する位置情報があれば当該位置情報に係るモード情報を読み出し、読み出したモード情報に基づいてモード変更を行うことを特徴とする請求項１記載の携帯通信端末。
【請求項４】
非接触通信により非接触ＩＣチップに記憶された識別情報を読み取るＩＣチップ読取部と、
前記ＩＣチップ読取部によって前記非接触ＩＣチップから識別情報を読み取ったときに、所定のサーバにアクセスし、読み取った識別情報に対応する識別情報があれば前記所定のサーバから当該識別情報に係るモード情報をダウンロードし、ダウンロードしたモード情報に基づいてモード変更を行う制御部と、
を備えることを特徴とする携帯通信端末。
【請求項５】
ＧＰＳ測位衛星からの測位用信号を受信することにより自ら測位処理を行い、位置情報を取得する測位部を備え、
前記制御部は、前記測位部から位置情報を取得したときに、前記所定のサーバにアクセスし、取得した位置情報に対応する位置情報があれば前記所定のサーバから当該位置情報に係るモード情報をダウンロードし、ダウンロードしたモード情報に基づいてモード変更を行うことを特徴とする請求項４記載の携帯通信端末。
【請求項６】
ＧＰＳ測位衛星からの測位用信号を受信することにより、前記所定のサーバに測位演算を要求して、前記所定のサーバから位置情報を取得する測位部を備え、
前記制御部は、前記測位部から位置情報を取得したときに、前記所定のサーバにアクセスし、取得した位置情報に対応する位置情報があれば前記所定のサーバから当該位置情報に係るモード情報をダウンロードし、ダウンロードしたモード情報に基づいてモード変更を行うことを特徴とする請求項４記載の携帯通信端末。
【発明の詳細な説明】
【技術分野】
【０００１】
本発明は、非接触ＩＣチップを使用して設定モードを切り替える携帯通信端末に関する。
【背景技術】
【０００２】
近年、１つの携帯通信端末に複数の電話番号を持つなど、携帯通信端末の利用方法が多様化している。１つの携帯通信端末に複数の電話番号を持つ場合、簡単で安全なモードの切り替えが求められる。モードの切り替えは、従来、番号を入力するなどの方法で設定値を変更することにより行われていた。
【０００３】
【特許文献１】特開２００５−９４１７１号公報
【発明の開示】
【発明が解決しようとする課題】
【０００４】
しかしながら、番号を入力するなどの方法で設定値を変更する方法では、番号の入力の手間がかかることや、簡単な番号を設定した場合、他人に利用されてしまうなどの問題がある。
【０００５】
ところで、携帯通信端末は、非接触ＩＣチップの情報を読み取ることができる機能を有するものがある。例えば、特許文献１では、ユーザが携帯する携帯品に付された無線ＩＣタグと無線通信するＩＣタグ無線部と、電話機の操作入力時に、現在の動作モードを判定し、判定結果が未承認のモードであるとき、前記ＩＣタグ無線部による無線ＩＣタグとの無線通信に基づいて無線ＩＣタグの識別符号の認証を行い、認証結果、正しい識別符号であるとき承認モードに変更し、現在の動作モードが承認モード時にのみ前記操作入力を受け付けて当該操作入力に応じた処理を実行する制御部を備える携帯通信端末が開示されている。これによれば、認証動作時における低消費電力化を実現でき、使い勝手の良い防犯機能を備えるＩＣタグ認証機能付き携帯通信端末を提供することができるというものである。
【０００６】
しかしながら、特許文献１に記載の携帯通信端末では、ロック解除しないと使用できないという不便な一面もある。
【０００７】
本発明の主な課題は、設定モードの切り替えが簡単かつ安全に行える携帯通信端末を提供することである。
【課題を解決するための手段】
【０００８】
本発明の第１の視点においては、携帯通信端末において、非接触通信により非接触ＩＣチップに記憶された識別情報を読み取るＩＣチップ読取部と、前記非接触ＩＣチップに記憶された識別情報に対応する識別情報と、当該識別情報に関連付けられたユーザデータとを含む複数のモード情報を記憶する記憶部と、前記ＩＣチップ読取部によって前記非接触ＩＣチップから前記識別情報を読み取ったときに、読み取った前記識別情報に対応する識別情報を前記記憶部において検索し、該当する識別情報があれば当該識別情報に係るモード情報を読み出し、読み出したモード情報に基づいてモード変更を行う制御部と、を備えることを特徴とする。
【０００９】
本発明の第２の視点においては、携帯通信端末において、非接触通信により非接触ＩＣチップに記憶された識別情報を読み取るＩＣチップ読取部と、前記ＩＣチップ読取部によって前記非接触ＩＣチップから識別情報を読み取ったときに、所定のサーバにアクセスし、読み取った識別情報に対応する識別情報があれば前記所定のサーバから当該識別情報に係るモード情報をダウンロードし、ダウンロードしたモード情報に基づいてモード変更を行う制御部と、を備えることを特徴とする。
【発明の効果】
【００１０】
本発明によれば、非接触ＩＣチップの情報を読み込むためには携帯通信端末に非接触ＩＣチップを内蔵した携帯品をかざすだけなので、操作は非常に簡単になる。また、非接触ＩＣチップの性質上、その携帯品以外で同じ効果を出すことはできないので安全である。さらに、切り替えのタイミングは非接触ＩＣチップを携帯通信端末にかざすタイミングなので、携帯通信端末を使用している最中にいつでも設定を切り替えることが可能になる。
【発明を実施するための最良の形態】
【００１１】
本発明の第１の実施形態に係る携帯通信端末では、非接触通信により非接触ＩＣチップ（図１の２１）に記憶された識別情報を読み取るＩＣチップ読取部（図１の１６）と、前記非接触ＩＣチップ（図１の２１）に記憶された識別情報に対応する識別情報と、当該識別情報に関連付けられたユーザデータとを含む複数のモード情報（図２のモード情報１、２、……、ｎ）を記憶する記憶部（図１の１２）と、前記ＩＣチップ読取部（図１の１６）によって前記非接触ＩＣチップ（図１の２１）から前記識別情報を読み取ったときに、読み取った前記識別情報に対応する識別情報を前記記憶部（図１の１２）において検索し、該当する識別情報があれば当該識別情報に係るモード情報を読み出し、読み出したモード情報に基づいてモード変更を行う制御部（図１の１７）と、を備える。
【００１２】
本発明の第２の実施形態に係る携帯通信端末では、非接触通信により非接触ＩＣチップ（図１の２１）に記憶された識別情報を読み取るＩＣチップ読取部（図１の１６）と、前記ＩＣチップ読取部（図１の１６）によって前記非接触ＩＣチップ（図１の２１）から識別情報を読み取ったときに、所定のサーバにアクセスし、読み取った識別情報に対応する識別情報があれば前記所定のサーバから当該識別情報に係るモード情報をダウンロードし、ダウンロードしたモード情報に基づいてモード変更を行う制御部（図１の１７）と、を備える。
【実施例１】
【００１３】
本発明の実施例１に係る携帯通信端末について図面を用いて説明する。図１は、本発明の実施例１に係る携帯通信端末の構成を模式的に示したブロック図である。図２は、本発明の実施例１に係る携帯通信端末の記憶部に記憶されたモード情報を模式的に示した図である。
【００１４】
携帯通信端末１０は、携帯可能な通信端末であり、例えば、携帯電話機に適用することができる。携帯通信端末１０は、携帯品２０に内蔵された非接触ＩＣチップ２１に記憶された情報を読み取り可能な機能を有する。携帯通信端末１０は、主な構成部として、操作部１１と、記憶部１２と、通信部１３と、スピーカ１４と、表示部１５と、ＩＣチップ読取部１６と、制御部１７と、を有する。
【００１５】
操作部１１は、ユーザの操作を入力するための部分である。
【００１６】
記憶部１２は、データベース、プログラムなどの情報を記憶するための部分である。記憶部１２は、非接触ＩＣチップ２１に記憶された識別情報に対応する識別情報と、当該識別情報に関連付けられた各種設定電話帳、スケジュール等のユーザデータとを含む複数のモード情報（モード情報１、２……ｎ；図２参照）を予め記憶している。
【００１７】
通信部１３は、無線基地局（図示せず）と無線通信するための部分である。
【００１８】
スピーカ１４は、音声を出力するための部分である。
【００１９】
表示部１５は、画像を表示するための部分である。
【００２０】
ＩＣチップ読取部１６は、非接触通信により非接触ＩＣチップ２１に記憶された識別情報を読み取るための部分である。
【００２１】
制御部１７は、各構成部を制御するための部分である。制御部１７は、プログラムに基づいて所定の情報処理を行う。制御部１７は、ＩＣチップ読取部１６によって非接触ＩＣチップ２１から識別情報を読み取ったときに、読み取った識別情報に対応する識別情報を記憶部１２において検索し、該当する識別情報があれば当該識別情報に係るモード情報を読み出し、読み出したモード情報に基づいてモード変更を行う。これにより、１台の携帯通信端末１０を複数のユーザが使用でき、しかも、ユーザごとに異なる設定で使用できる。
【００２２】
なお、ここでは、ＩＣチップ読取部１６によって非接触ＩＣチップ２１から識別情報を読み取ったときに、記憶部１２に記憶されたモード情報を検索して、対応するモード情報を取得しているが、記憶部１２にモード情報を記憶しないで、通信部１３を介して通信ネットワーク（図示せず）に接続されたサーバ（図示せず）にモード情報を記憶しておき、サーバ（図示せず）に記憶されたモード情報の識別情報を検索して、対応するモード情報を取得するようにしてもよい。この場合、例えば、制御部１７は、ＩＣチップ読取部１６によって非接触ＩＣチップ２１から識別情報を読み取ったときに、モード情報をダウンロードするためのブラウザを立ち上げ、読み取った識別情報に応じたＵＲＬのサーバ（図示せず）にアクセスし、サーバ（図示せず）にて識別情報を検索して、該当する識別情報があれば当該識別情報に係るモード情報をダウンロードし、ダウンロードしたモード情報に基づいてモード変更を行う。
【００２３】
携帯品２０は、ユーザが携帯する社員カード、クレジットカード、腕時計等の携帯可能なものであり、非接触ＩＣチップ２１を内蔵する。
【００２４】
非接触ＩＣチップ２１は、非接触通信によるＩＣチップ読取部１６の読み出しにより、
記憶された情報をＩＣチップ読取部１６に向けて出力するＩＣチップである。非接触ＩＣチップ２１は、ＲＦＩＤ（Radio Frequency Identification）技術を利用してＩＣチップ読取部１６と非接触通信を行う。非接触ＩＣチップ２１は、内部に搭載されたＩＣメモリ（図示せず）内に情報を記憶している。非接触ＩＣチップ２１は、読取時にＩＣチップ読取部１６から発生した電波により電力が生じ、その電力を利用してＩＣメモリに記憶している識別情報をＩＣチップ読取部１６に送信する。
【００２５】
次に、本発明の実施例１に係る携帯通信端末の動作について図面を用いて説明する。図３は、本発明の実施例１に係る携帯通信端末の動作を模式的に示したフローチャートである。
【００２６】
まず、携帯通信端末１０は、任意の状態（例えば、待受状態）にあるとき（ステップＡ１）、携帯品２０を携帯通信端末１０のＩＣチップ読取部１６付近にかざすことで、非接触ＩＣチップ２１から識別情報を読み取る（ステップＡ２）。
【００２７】
次に、携帯通信端末１０は、読み取った識別情報に対応する識別情報を検索する（ステップＡ３）。該当する識別情報がない場合（ステップＡ３のＮＯ）、ステップＡ１に戻る。
【００２８】
該当する識別情報があった場合（ステップＡ３のＹＥＳ）、携帯通信端末１０は、当該識別情報に係るモード情報を読み出し、読み出したモード情報に基づいてモード変更を実行する（ステップＡ４）。モード変更後、ステップＡ１に戻る。
【００２９】
実施例１によれば、以下のような効果を奏する。
【００３０】
第１の効果は、携帯通信端末１０を用途別の設定に簡単、安全、かつ、自動的に変更できることにある。その理由は、非接触ＩＣチップ２１の識別情報を読み込むことでモード変更ができるからである。
【００３１】
第２の効果は、１台の携帯通信端末を複数台の携帯通信端末を所持するのと同等に利用でき、複数人で利用できることにある。その理由は、非接触ＩＣチップ２１の識別情報に応じて待受画面や各種設定及び登録されている電話帳の閲覧権限を変更することで、手軽に複数台の携帯通信端末の状態を作り出せるからである。
【実施例２】
【００３２】
本発明の実施例２に係る携帯通信端末について図面を用いて説明する。図４は、本発明の実施例２に係る携帯通信端末の構成を模式的に示したブロック図である。図５は、本発明の実施例２に係る携帯通信端末の記憶部に記憶されたモード情報を模式的に示した図である。
【００３３】
実施例２に係る携帯通信端末１０は、測位部１８の位置情報を用いてモード変更を行うようにしたものである。その他の構成は、実施例１に係る携帯通信端末と同様である。
【００３４】
測位部１８は、ＧＰＳ（Global Positioning System）測位衛星（図示せず）からの測位用信号を受信することにより測位処理を行い、携帯通信端末１０の位置（緯度、経度）に関する位置情報を取得する部分である。測位部１８は、測位信号に基づいて自ら測位演算を行うことによって位置情報を生成してもよいし、通信部１３を介して通信ネットワーク（図示せず）に接続されたサーバ（図示せず）に測位演算を要求して、そのサーバから位置情報を取得するようにしてもよい。測位部１８は、取得した位置情報を制御部１７に向けて出力する。
【００３５】
記憶部１２は、データベース、プログラムなどの情報を記憶するための部分である。記憶部１２は、非接触ＩＣチップ２１に記憶された識別情報に対応する識別情報と、当該識別情報に関連付けられた位置情報と、当該識別情報及び当該位置情報に関連付けられた各種設定電話帳、スケジュール等のユーザデータとを含む複数のモード情報（モード情報１１、１２……１ｎ；図５参照）を予め記憶している。
【００３６】
制御部１７は、各構成部を制御するための部分である。制御部１７は、プログラムに基づいて所定の情報処理を行う。制御部１７は、ＩＣチップ読取部１６によって非接触ＩＣチップ２１から識別情報を読み取ったときに、読み取った識別情報に対応する識別情報を記憶部１２において検索し、該当する識別情報があれば当該識別情報に係るモード情報を読み出し、読み出したモード情報に基づいてモード変更を行う。これにより、１台の携帯通信端末１０を複数のユーザが使用でき、しかも、ユーザごとに異なる設定で使用できる。制御部１７は、測位部１８からの位置情報に対応する位置情報を記憶部１２において検索し、該当する位置情報があれば当該位置情報に係るモード情報を読み出し、読み出したモード情報に基づいてモード変更を行う。これにより、例えば、会社にいる時はビジネス用、遊園地にいる時は家庭用とすることができる。
【００３７】
次に、本発明の実施例２に係る携帯通信端末の動作について図面を用いて説明する。図６は、本発明の実施例２に係る携帯通信端末の動作を模式的に示したフローチャートである。
【００３８】
まず、携帯通信端末１０は、任意の状態（例えば、待受状態）にあるとき（ステップＢ１）、測位部１８から位置情報を取得する（ステップＢ２）。
【００３９】
次に、携帯通信端末１０は、取得した位置情報に対応する位置情報を検索する（ステップＢ３）。該当する位置情報がない場合（ステップＢ３のＮＯ）、ステップＢ１に戻る。
【００４０】
該当する位置情報があった場合（ステップＢ３のＹＥＳ）、携帯通信端末１０は、当該位置情報に係るモード情報を読み出し、読み出したモード情報に基づいてモード変更を実行する（ステップＢ４）。モード変更後、ステップＢ１に戻る。
【００４１】
実施例２によれば、実施例１の効果とともに、場所に応じてモード変更することができる。例えば、個人の使用シーンにより日本語変換辞書のビジネス用や家庭用などへの切り替えや、複数人で同一の携帯電話を使用する場合の個人毎の切り替えが簡単かつ安全に行える。
【実施例３】
【００４２】
本発明の実施例３に係る携帯通信端末について説明する。実施例３に係る携帯通信端末は、実施例２（図４参照）と同様な構成であるが、制御部１７にて、測位部１８からの位置情報に基づいて速度を演算し、演算された速度が所定の速度以上であるときに、マナーモードに自動的に変更するようにしたものである。実施例３によれば、実施例２の効果とともに、移動速度に応じてマナーモードに自動的に変更することができる。
【図面の簡単な説明】
【００４３】
【図１】本発明の実施例１に係る携帯通信端末の構成を模式的に示したブロック図である。
【図２】本発明の実施例１に係る携帯通信端末の記憶部に記憶されたモード情報を模式的に示した図である。
【図３】本発明の実施例１に係る携帯通信端末の動作を模式的に示したフローチャートである。
【図４】本発明の実施例２に係る携帯通信端末の構成を模式的に示したブロック図である。
【図５】本発明の実施例２に係る携帯通信端末の記憶部に記憶されたモード情報を模式的に示した図である。
【図６】本発明の実施例２に係る携帯通信端末の動作を模式的に示したフローチャートである。
【符号の説明】
【００４４】
１０  携帯通信端末
１１  操作部
１２  記憶部
１３  通信部
１４  スピーカ
１５  表示部
１６  ＩＣチップ読取部
１７  制御部
１８  測位部
２０  携帯品
２１  非接触ＩＣチップ
【図１】
2009118326.tif 000003
【図２】
2009118326.tif 000004
【図３】
2009118326.tif 000005
【図４】
2009118326.tif 000006
【図５】
2009118326.tif 000007
【図６】
2009118326.tif 000008